(57)【要約】【課題】変換利得、雑音特性を向上させつつ、低消費電流化を図ることが可能なミキサ回路を提供する。【解決手段】ミキサ回路１００は、電源電位ＶＣＣに接続され、ゲートに第１のバイアス電圧bias１が印加されるとともに第１の無線周波数信号ＲＦ＋が入力される、ｐ型の第１のＭＯＳトランジスタ１と、この第１のＭＯＳトランジスタと接地電位との間に接続され、ゲートに第２のバイアス電圧bias２が印加されるとともに第１の無線周波数信号ＲＦ＋が入力される、ｎ型の第２のＭＯＳトランジスタ２と、第１の接続点１０１と電源電位との間で第１のＭＯＳトランジスタ１と並列に接続され、ゲートに第３のバイアス電圧bias３が印加されるとともに第１の局部発振信号ＬＯ＋が入力されるｎ型の第３のＭＯＳトランジスタ３と、第１の中間周波数信号ＯＵＴ＋を出力する第１の出力端子１０２と、を備える。【選択図】図１
2007288250.tif 000002
【特許請求の範囲】
【請求項１】
第１の電位に接続され、信号入力端子に第１のバイアス電圧が印加されるとともに第１の無線周波数信号が入力される第１導電型の第１のトランジスタと、
前記第１のトランジスタと第２の電位との間に接続され、信号入力端子に第２のバイアス電圧が印加されるとともに前記第１の無線周波数信号が入力される第２導電型の第２のトランジスタと、
前記第２のトランジスタと前記第１のトランジスタとの間の第１の接続点と前記第１の電位との間で前記第１のトランジスタと並列に接続され、信号入力端子に第３のバイアス電圧が印加されるとともに第１の局部発振信号が入力される第２導電型の第３のトランジスタと、
前記第１の電位と前記第３のトランジスタとの間に設けられ、第１の中間周波数信号を出力する第１の出力端子と、を備える
ことを特徴とするミキサ回路。
【請求項２】
前記第１の接続点と前記第１の電位との間で前記第１のトランジスタおよび前記第３のトランジスタと並列に接続され、信号入力端子に前記第３のバイアス電圧が印加されるとともに前記第１の局部発振信号を反転した第２の局部発振信号が入力される第２導電型の第４のトランジスタと、
前記第１の電位と前記第４のトランジスタとの間に設けられ、第１の中間周波数信号を反転した第２の中間周波数信号を出力する第２の出力端子と、をさらに備える
ことを特徴とする請求項１に記載のミキサ回路。
【請求項３】
前記第１のトランジスタと前記第１の接続点との間に接続され、信号入力端子にバイアス電圧が印加された第１導電型の第５のトランジスタ、または、前記第２のトランジスタと前記第１の接続点との間に接続され、信号入力端子にバイアス電圧が印加された第２導電型の第６のトランジスタの少なくとも何れか一方をさらに備える
ことを特徴とする請求項１または２に記載のミキサ回路。
【請求項４】
前記第１の電位と前記第１のトランジスタとの間に接続された第１のディジェネレーション素子、または、前記第２の電位と前記第２のトランジスタとの間に接続された第２のディジェネレーション素子の少なくとも何れか一方をさらに備える
ことを特徴とする請求項１に記載のミキサ回路。
【請求項５】
前記第１の電位に接続され、信号入力端子に前記第１のバイアス電圧が印加されるとともに第１の無線周波数信号を反転した第２の無線周波数信号が入力される第１導電型の第７のトランジスタと、
前記第７のトランジスタと第２の電位との間に接続され、信号入力端子に前記第２のバイアス電圧が印加されるとともに前記第２の無線周波数信号が入力される第２導電型の第８のトランジスタと、
前記第８のトランジスタと前記第７のトランジスタとの間の第２の接続点と前記第２の出力端子との間に接続され、信号入力端子に前記第３のバイアス電圧が印加されるとともに前記第１の局部発振信号が入力される第２導電型の第９のトランジスタと、
前記第２の接続点と前記第１の出力端子との間に接続され、信号入力端子に前記第３のバイアス電圧が印加されるとともに前記第２の局部発振信号が入力される第２導電型の第１０のトランジスタと、をさらに備える
ことを特徴とする請求項２に記載のミキサ回路。
【発明の詳細な説明】
【技術分野】
【０００１】
本発明は、例えば、無線通信用ＬＳＩ（Large Scale Integration）に用いられるミキサ回路に関するものである。
【背景技術】
【０００２】
従来、無線通信において、ＲＦ（Radio Frequency：無線周波数）信号の周波数変換を行うミキサ回路が用いられている。
【０００３】
このミキサ回路には、入力信号が電圧で与えられ、ＬＯ（Local Oscillation：局部発振）信号が入力されるＭＯＳスイッチのオン、オフで電流経路を切り替えるタイプのアクティブミキサがある。この電流経路の切り替えにより、出力端子には入力電圧信号の周波数とＬＯ信号の周波数の和および差の周波数の電流信号が出力される。
【０００４】
このアクティブミキサにおいて、ミキサ回路を構成する上記ＭＯＳスイッチに定常電流が流れると1/周波数に比例するフリッカ雑音が発生する。
【０００５】
特に、ミキサ回路が、ダイレクトコンバージョン、あるいはＬｏｗ−ＩＦ（Intermediate Frequency：中間周波数）方式の受信機に用いられるダウンコンバージョンミキサの場合、このフリッカ雑音が問題となる。
【０００６】
ここで、従来のミキサ回路には、例えば、電源電位に接続され、ベースに局部発振信号ＬＯ＋が信号入力される第１のバイポーラトランジスタと、電源電位に接続され、ベースに局部発振信号ＬＯ−が信号入力される第２のバイポーラトランジスタと、これらの第１、第２のバイポーラトランジスタと接地電位との間に接続され、ベースに無線周波数信号が入力される第３のバイポーラトランジスタと、電源電位と第３のバイポーラトランジスタとの間に接続され、第３のバイポーラトランジスタにバイアス電流を供給する定電流源と、を備えるものがある（例えば、非特許文献１参照。）。
【０００７】
上記従来のミキサ回路では、定電流源が第３のバイポーラトランジスタにバイアス電流を供給することにより、第１、第２のバイポーラトランジスタに流れる電流を増加させることなく、無線周波数信号を増幅する第３のバイポーラトランジスタに流れる電流を増加させることができる。
【０００８】
これにより、第１、第２のバイポーラトランジスタにおけるフリッカ雑音を低減して雑音特性を向上しつつ、第３のバイポーラトランジスタの電流増幅率を増加させてミキサ回路の変換利得を向上するものである。
【０００９】
しかし、ミキサ回路の変換利得、雑音特性を向上させるためには、定電流源のバイアス電流を増加させる必要があり、回路の消費電流が増加するという問題があった。
【非特許文献１】Behzad Razavi 著、「RF Microelectronics」、（米国）、Prentice Hall Professional Technical Reference、1998年、p.197
【発明の開示】
【発明が解決しようとする課題】
【００１０】
本発明は、上記課題を解決するものであり、変換利得、雑音特性を向上させつつ、低消費電流化を図ることが可能なミキサ回路を提供することを目的とする。
【課題を解決するための手段】
【００１１】
本発明の一態様に係る実施例に従ったミキサ回路は、第１の電位に接続され、信号入力端子に第１のバイアス電圧が印加されるとともに第１の無線周波数信号が入力される第１導電型の第１のトランジスタと、前記第１のトランジスタと第２の電位との間に接続され、信号入力端子に第２のバイアス電圧が印加されるとともに前記第１の無線周波数信号が入力される第２導電型の第２のトランジスタと、前記第２のトランジスタと前記第１のトランジスタとの間の第１の接続点と前記第１の電位との間で前記第１のトランジスタと並列に接続され、信号入力端子に第３のバイアス電圧が印加されるとともに第１の局部発振信号が入力される第２導電型の第３のトランジスタと、前記第１の電位と前記第３のトランジスタとの間に設けられ、第１の中間周波数信号を出力する第１の出力端子と、を備えることを特徴とする。
【発明の効果】
【００１２】
本発明に係るミキサ回路によれば、変換利得、雑音特性を向上させつつ、低消費電流化を図ることができる。
【発明を実施するための最良の形態】
【００１３】
以下、本発明に係る各実施例について図面に基づいて説明する。
【００１４】
なお、ここでは、第１の電位を電源電位、第２の電位を接地電位とし、第１導電型をｐ型、第２導電型をｎ型として説明する。
【実施例１】
【００１５】
図１は、本発明の一態様である実施例１に係るミキサ回路の要部の構成を示す回路図である。
【００１６】
図１に示すように、ミキサ回路１００は、第１の電位である電源電位ＶＣＣにソースが接続され、信号入力端子であるゲートに第１のバイアス電圧bias１（直流成分）が印加されるとともに第１の無線周波数信号ＲＦ＋（交流成分）が入力される、第１導電型であるｐ型の第１のＭＯＳトランジスタ１と、この第１のＭＯＳトランジスタのドレインとそのドレインが接続されるとともに第２の電位である接地電位にソースが接続され、ゲートに第２のバイアス電圧bias２（直流成分）が印加されるとともに第１の無線周波数信号ＲＦ＋が入力される、第２導電型であるｎ型の第２のＭＯＳトランジスタ２と、を備える。
【００１７】
さらに、ミキサ回路１００は、第２のＭＯＳトランジスタ２のドレインと第１のＭＯＳトランジスタ１のドレインとの間の第１の接続点１０１と電源電位との間で第１のＭＯＳトランジスタ１と並列に接続され、ゲートに第３のバイアス電圧bias３（直流成分）が印加されるとともに第１の局部発振信号ＬＯ＋（交流成分）が入力されるｎ型の第３のＭＯＳトランジスタ３と、電源電位ＶＣＣと第３のＭＯＳトランジスタ３との間に設けられ、第１の中間周波数信号ＯＵＴ＋を出力する第１の出力端子１０２と、を備える。
【００１８】
第１ないし第３のＭＯＳトランジスタ１〜３の各ゲートに印加される既述のバイアス電圧bias１〜bias３は、直流電位を各ゲートに与える。
【００１９】
第１のＭＯＳトランジスタ１は、ディジェネレーション素子Ｚ１を介して電源電位ＶＣＣに接続されている。これにより、第１のＭＯＳトランジスタ１の線形性を向上することができる。なお、このディジェネレーション素子Ｚ１は、例えば、線形性が問題にならない場合は省略してもよい。
【００２０】
第２のＭＯＳトランジスタ２は、ディジェネレーション素子Ｚ２を介して接地電位に接続されている。これにより、上記と同様に、第２のＭＯＳトランジスタ２の線形性を向上することができる。なお、このディジェネレーション素子Ｚ２は、例えば、線形性が問題にならない場合は省略してもよい。
【００２１】
このように、ミキサ回路１００は、ディジェネレーション素子Ｚ１、または、ディジェネレーション素子Ｚ２の少なくとも何れか一方を備えるようにしてもよい。
【００２２】
第３のＭＯＳトランジスタ３は、負荷Ｚ３を介して電源電位ＶＣＣに接続されている。これにより、第１の出力端子１０２から交流電流信号もしくは交流電圧信号として第１の中間周波数信号ＯＵＴ＋を出力することができる。
【００２３】
ここで、既述のディジェネレーション素子、負荷の具体例について説明する。電源電位ＶＣＣ側に接続された第１のディジェネレーション素子Ｚ１、負荷Ｚ３には、抵抗、インダクタ、ｐ型ＭＯＳトランジスタが選択される。
【００２４】
また、接地電位側に接続された第２のディジェネレーション素子Ｚ２には、抵抗、インダクタ、ｎ型ＭＯＳトランジスタが選択される。なお、負荷が接地電位側に接続された場合も同様に抵抗、インダクタ、ｎ型ＭＯＳトランジスタが選択される。
【００２５】
ミキサ回路１００は、第１の局部発振信号ＬＯ＋の入力に応じて、第３のＭＯＳトランジスタ３をオン、オフし、第１の接続点１０１から入力される交流電流信号の伝達を局部発振信号の周波数で制御する。
【００２６】
これにより、第１の出力端子１０２には、第１の無線周波数信号ＲＦ＋と第１の局部発振信号ＬＯ＋とがミキシングされた第１の中間周波数信号ＯＵＴ＋が出力される。
【００２７】
ここで、ミキサ回路１００の変換利得は、周波数変換後の第１の中間周波数信号ＯＵＴ＋を周波数変換前の第１の無線周波数信号ＲＦ＋で割った値（例えば、トランスコンダクタンス：ｇｍ)と定義される。また、ミキサ回路１００の入力換算雑音は、第１の出力端子１０２で観測される雑音を上記変換利得で割ったものと定義される。また、第１ないし第３のＭＯＳトランジスタ１〜３に流れるバイアス電流の電流値をＩ１、Ｉ２、Ｉ３とするとＩ２＝Ｉ１＋Ｉ３が成り立つ。
【００２８】
第１、第２のＭＯＳトランジスタ１、２に第１の無線周波数信号ＲＦ＋が入力されることにより、第１、第２のＭＯＳトランジスタ１、２が交互に電流増幅し、第1の無線周波数信号ＲＦ＋を第１のＭＯＳトランジスタ１と第２のＭＯＳトランジスタ２との両者で相補的に増幅する。これにより、第２のＭＯＳトランジスタ２だけで増幅する場合に比べて第３のＭＯＳトランジスタ３に流れる交流電流信号の振幅が増加する。したがって、第１のＭＯＳトランジスタ１を電流源として利用する従来技術と比較して、大きな変換利得、小さな入力換算雑音を得ることができる。
【００２９】
このように、ミキサ回路１００において、第１の無線周波数信号ＲＦ＋を第１のＭＯＳトランジスタ１と第２のＭＯＳトランジスタ２との両者で相補的に増幅することで回路全体のgm(トランスコンダクタンス)を向上することにより、第１の無線周波数信号ＲＦ＋から第１の中間周波数信号ＯＵＴ＋への変換利得の向上、および入力換算雑音の低雑音化を実現できる。
【００３０】
そして、電流値Ｉ２の平均値は、バイアス電圧bias２により決定されるものであり、定電流源を用いた従来技術と同様の値となる。したがって、このバイアス電圧bias２の値を適切な値に調整することにより回路の消費電流を低減することができる。
【００３１】
以上のように、本実施例に係るミキサ回路によれば、変換利得、雑音特性を向上させつつ、低消費電流化を図ることができる。
【実施例２】
【００３２】
実施例１では、ミキサ回路が中間周波数信号を出力する１つの出力端子を有する構成について述べた。
【００３３】
本実施例では、ミキサ回路が中間周波数信号を差動的に出力する２つの出力端子を有するシングルバランストミキサの構成について述べる。
【００３４】
図２は、本発明の一態様である実施例２に係るミキサ回路２００の要部構成を示す回路図である。なお、実施例１と同様の符号を付された構成は、実施例１と同様の構成である。
【００３５】
図２に示すように、ミキサ回路２００は、第１の接続点１０１と電源電位ＶＣＣとの間で第１のＭＯＳトランジスタ１および第３のＭＯＳトランジスタ３と並列に接続され、ゲートに第３のバイアス電圧bias３が印加されるとともに第１の局部発振信号ＬＯ＋を反転した第２の局部発振信号ＬＯ−が入力されるｎ型の第４のＭＯＳトランジスタ４と、電源電位ＶＣＣと第４のＭＯＳトランジスタ４のドレインとの間に設けられ、第１の中間周波数信号ＯＵＴ＋を反転した第２の中間周波数信号ＯＵＴ−を出力する第２の出力端子２０２と、をさらに備える。
【００３６】
第４のＭＯＳトランジスタ４は、第３のＭＯＳトランジスタ３と同じサイズである。そして、この第３のＭＯＳトランジスタ３と第４のＭＯＳトランジスタ４とは、第１、第２の局部発振信号ＬＯ＋、ＬＯ−の入力により差動的に動作する。
【００３７】
すなわち、ミキサ回路２００は、第１、第２の局部発振信号ＬＯ＋、ＬＯ−の入力に応じて、第３、第４のＭＯＳトランジスタ３、４を交互にオン、オフし、第１の接続点１０１から出力される交流電流信号の経路を局部発振信号の周波数で切り替える。
【００３８】
これにより、第１の出力端子１０２には、第１の無線周波数信号ＲＦ＋と第１の局部発振信号ＬＯ＋とがミキシングされた第１の中間周波数信号ＯＵＴ＋が出力されるとともに、第２の出力端子２０２には、第１の無線周波数信号ＲＦ＋と第２の局部発振信号ＬＯ−とがミキシングされた第２の中間周波数信号ＯＵＴ−が出力される。
【００３９】
また、実施例１と同様に、ミキサ回路２００において、第１の無線周波数信号ＲＦ＋を第１のＭＯＳトランジスタ１と第２のＭＯＳトランジスタ２との両者で相補的に増幅することで回路全体のgm(トランスコンダクタンス)を向上することにより、第１の無線周波数信号ＲＦ＋から第１、第２の中間周波数信号ＯＵＴ＋、ＯＵＴ−への変換利得の向上、および入力換算雑音の低雑音化を実現できる。
【００４０】
そして、実施例１と同様に、電流値Ｉ２の平均値は、バイアス電圧bias２により決定されるものであり、定電流源を用いた従来技術と同様の値となる。したがって、このバイアス電圧bias２の値を適切な値に調整することにより回路の消費電流を低減することができる。
【００４１】
以上のように、本実施例に係るミキサ回路によれば、シングルバランストミキサの構成においても、実施例１と同様に、変換利得、雑音特性を向上させつつ、低消費電流化を図ることができる。
【実施例３】
【００４２】
実施例１、２では、例えば、第１の無線周波数信号が入力される第１、第２のＭＯＳトランジスタが第１の局部発振信号が入力される第３のＭＯＳトランジスタと接続点を介して接続された構成について述べた。
【００４３】
この場合、第１、第２のＭＯＳトランジスタが第３のＭＯＳトランジスタと容量結合して、第１の無線周波数信号ＲＦ＋が第３のトランジスタ３のゲートへリークし、第１の中間周波数信号ＬＯ＋が第１、第２のトランジスタ１、２のゲートへリークし得る。
【００４４】
なお、この容量結合によるリークの影響は、第４のＭＯＳトランジスタとの関係でも同じように生じ得る。
【００４５】
そこで、本実施例においては、容量結合による既述のリークの影響を低減する構成について述べる。
【００４６】
図３は、本発明の一態様である実施例３に係るミキサ回路３００の要部構成を示す回路図である。なお、実施例１と同様の符号を付された構成は、実施例１と同様の構成である。
【００４７】
図３に示すように、ミキサ回路３００は、第１のＭＯＳトランジスタ１のドレインと第１の接続点１０１との間に接続され、ゲートにバイアス電圧bias４が印加されたｐ型の第５のＭＯＳトランジスタ５と、第２のＭＯＳトランジスタ２のドレインと第１の接続点１０１との間に接続され、ゲートに第５のバイアス電圧bias５が印加されたｎ型の第６のＭＯＳトランジスタ６とを、さらに備える。
【００４８】
上述のように、バイアス電圧が印加された第５、第６のＭＯＳトランジスタ５、６が、無線周波数信号が入力される第１、第２のＭＯＳトランジスタ１、２と局部発振信号が入力される第３のＭＯＳトランジスタ３との間に挿入されている。したがって、第１、第２のＭＯＳトランジスタ１、２と第３のＭＯＳトランジスタ３との間の結合容量が小さくなり、既述のリークが低減される。
【００４９】
なお、ミキサ回路３００は、第５、第６のＭＯＳトランジスタ５、６の少なくとも何れか一方を有していてもよく、そのＭＯＳトランジスタが設けられた部分については、上記容量結合による雑音特性への影響を低減することができる。
【００５０】
以上のように、本実施例に係るミキサ回路によれば、変換利得を向上し、雑音特性をさらに向上させつつ、低消費電流化を図ることができる。
【実施例４】
【００５１】
実施例２では、ミキサ回路がシングルバランストミキサである場合について述べた。本実施例では、ミキサ回路がダブルバランストミキサである場合について述べる。
【００５２】
図４は、本発明の一態様である実施例４に係るミキサ回路４００の要部構成を示す回路図である。なお、実施例１、２と同様の符号を付された構成は、実施例１、２と同様の構成である。
【００５３】
図４に示すように、ミキサ回路４００は、電源電位ＶＣＣに接続され、ゲートに第１のバイアス電圧bias１が印加されるとともに第１の無線周波数信号ＲＦ＋を反転した第２の無線周波数信号ＲＦ−が入力されるｐ型の第７のＭＯＳトランジスタ７と、この第７のＭＯＳトランジスタ７のドレインと接地電位との間に接続され、ゲートに第２のバイアス電圧bias２が印加されるとともに第２の無線周波数信号ＲＦ−が入力されるｎ型の第８のＭＯＳトランジスタ８と、を備える。
【００５４】
さらに、ミキサ回路４００は、第８のＭＯＳトランジスタ８のドレインと第７のＭＯＳトランジスタ７のドレインとの間の第２の接続点２０１と第２の出力端子２０２との間に接続され、ゲートに第３のバイアス電圧bias３が印加されるとともに第１の局部発振信号ＬＯ＋が入力されるｎ型の第９のＭＯＳトランジスタ９と、第２の接続点２０１と第１の出力端子１０２との間に接続され、ゲートに第３のバイアス電圧bias３が印加されるとともに第２の局部発振信号ＬＯ−が入力されるｎ型の第１０のＭＯＳトランジスタ１０と、を備える。
【００５５】
さらに、ミキサ回路４００は、第２のＭＯＳトランジスタ２のソースおよび第８のＭＯＳトランジスタ８のソースと接地電位との間に接続された定電流源１５を備える。なお、この定電流源１５は、ミキサ回路４００を低電源電圧に対応させる場合には、省略してもよい。
【００５６】
第７のＭＯＳトランジスタ７は、ディジェネレーション素子Ｚ５を介して電源電位ＶＣＣに接続されている。これにより、第７のＭＯＳトランジスタ７の線形性を向上することができる。なお、このディジェネレーション素子Ｚ５は、例えば、線形性が問題にならない場合は省略してもよい。なお、ディジェネレーション素子Ｚ１、Ｚ５は、同一の素子が選択される。
【００５７】
第８のＭＯＳトランジスタ８は、ディジェネレーション素子Ｚ６、電流源１５を介して接地電位に接続されている。これにより、上記と同様に、第８のＭＯＳトランジスタ８の線形性を向上することができる。なお、このディジェネレーション素子Ｚ６は、例えば、線形性が問題にならない場合は省略してもよい。なお、ディジェネレーション素子Ｚ２、Ｚ６は、同一の素子が選択される。
【００５８】
第９のＭＯＳトランジスタ９は、負荷Ｚ４を介して電源電位ＶＣＣに接続されている。これにより、第２の出力端子２０２から交流電流信号として第２の中間周波数信号ＯＵＴ＋を出力することができる。
【００５９】
第１０のＭＯＳトランジスタ１０は、負荷Ｚ３を介して電源電位ＶＣＣに接続されている。これにより、第１の出力端子１０２から交流電圧信号として第１の中間周波数信号ＯＵＴ＋を出力することができる。なお、負荷Ｚ３、Ｚ４は、同一の素子が選択される。
【００６０】
第９、第１０のＭＯＳトランジスタ９、１０は、第３、４のＭＯＳトランジスタ３、４と同じサイズである。そして、この第３、第９のＭＯＳトランジスタ３、９と第４、第１０のＭＯＳトランジスタ４、１０とは、第１、第２の局部発振信号ＬＯ＋、ＬＯ−の入力により差動的に動作する。
【００６１】
すなわち、ミキサ回路４００は、第１、第２の局部発振信号ＬＯ＋、ＬＯ−の入力に応じて、第３、第９のＭＯＳトランジスタ３、９と第４、第１０のＭＯＳトランジスタ４、１０とを交互にオン、オフし、第１、第２の接続点１０１、２０１から出力される交流電流信号の経路を局部発振信号の周波数で切り替える。
【００６２】
これにより、第１の出力端子１０２には、第１の無線周波数信号ＲＦ＋と第１の局部発振信号ＬＯ＋とがミキシングされた第１の中間周波数信号ＯＵＴ＋が出力されるとともに、第２の出力端子２０２には、第１の無線周波数信号ＲＦ＋と第２の局部発振信号ＬＯ−とがミキシングされた第２の中間周波数信号ＯＵＴ−が出力される。
【００６３】
また、実施例２と同様に、ミキサ回路４００において、第１の無線周波数信号ＲＦ＋を第１、第２のＭＯＳトランジスタ１、２で増幅するとともに、第２の無線周波数信号ＲＦ−を第７、第８のＭＯＳトランジスタ７、８で増幅して、ｇｍ（トランスコンダクタンス）を向上することにより、第１、第２の無線周波数信号ＲＦ＋、ＲＦ−から第１、第２の中間周波数信号ＯＵＴ＋、ＯＵＴ−への変換利得の向上、および入力換算雑音の低雑音化を実現できる。
【００６４】
そして、実施例１、２と同様に、バイアス電圧bias２の値を適切な値に調整することにより回路の消費電流を低減することができる。
【００６５】
以上のように、本実施例に係るミキサ回路によれば、ダブルバランストミキサの構成においても、既述の実施例と同様に、変換利得、雑音特性を向上させつつ、低消費電流化を図ることができる。
【実施例５】
【００６６】
実施例４では、ミキサ回路が、例えば、ディジェネレーション素子を有するダブルバランストミキサである場合について述べた。本実施例では、ディジェネレーション素子の構成が異なるものについて述べる。
【００６７】
図５は、本発明の一態様である実施例５に係るミキサ回路５００の要部構成を示す回路図である。なお、実施例４と同様の符号を付された構成は、実施例４と同様の構成である。また、本実施例では、定電流源１５を省略している。
【００６８】
図５に示すように、ミキサ回路５００は、ディジェネレーション素子Ｚ２、Ｚ６に代えて、第２のＭＯＳトランジスタ２のソースと第８のＭＯＳトランジスタ８のソースとの接続点３０１と接地電位との間に接続されたディジェネレーション素子Ｚ７を備える。
【００６９】
なお、このディジェネレーション素子Ｚ７は、ディジェネレーション素子Ｚ２、Ｚ６を合成した素子と同様の素子が選択され、同様の機能を有する。
【００７０】
したがって、ミキサ回路５００によっても、実施例４と同様の機能を有することとなる。
【００７１】
以上のように、本実施例に係るミキサ回路によれば、ディジェネレーション素子の構成が異なるダブルバランストミキサの構成においても、既述の実施例と同様に、変換利得、雑音特性を向上させつつ、低消費電流化を図ることができる。
【実施例６】
【００７２】
実施例４では、ミキサ回路が、既述のように、ダブルバランストミキサである場合について述べた。
【００７３】
ここで、実施例３における、容量結合の影響を低減するためにバイアス電圧が印加されたＭＯＳトランジスタを、無線周波数信号が入力されるＭＯＳトランジスタと局部発振信号が入力されるＭＯＳトランジスタとの間に挿入する構成は、実施例４についても同様に適用することができる。
【００７４】
そこで、本実施例では、実施例３の構成を、ダブルバランストミキサに適用した場合について述べる。
【００７５】
図６は、本発明の一態様である実施例６に係るミキサ回路６００の要部構成を示す回路図である。なお、実施例４と同様の符号を付された構成は、実施例４と同様の構成である。
【００７６】
図６に示すように、ミキサ回路６００は、第１のＭＯＳトランジスタ１のドレインと第１の接続点１０１との間に接続され、ゲートにバイアス電圧bias４が印加されたｐ型の第５のＭＯＳトランジスタ５と、第２のＭＯＳトランジスタ２のドレインと第１の接続点１０１との間に接続され、ゲートに第５のバイアス電圧bias５が印加されたｎ型の第６のＭＯＳトランジスタ６とを、さらに備える。
【００７７】
また、ミキサ回路６００は、第７のＭＯＳトランジスタ７のドレインと第２の接続点２０１との間に接続され、ゲートにバイアス電圧bias４が印加されたｐ型の第１１のＭＯＳトランジスタ１１と、第８のＭＯＳトランジスタ８のドレインと第２の接続点２０１との間に接続され、ゲートに第５のバイアス電圧bias５が印加されたｎ型の第１２のＭＯＳトランジスタ１２とを、さらに備える。
【００７８】
実施例３と同様に、無線周波数信号が入力されるＭＯＳトランジスタと局部発振信号が入力されるＭＯＳトランジスタとの間の結合容量が小さくなり、既述のリークが低減される。
【００７９】
なお、ミキサ回路６００は、第５、第６、第１１、第１２のＭＯＳトランジスタ５、６、１１、１２の少なくとも何れか１つを有していてもよく、そのＭＯＳトランジスタが設けられた部分については、上記容量結合による雑音特性への影響を低減することができる。
【００８０】
以上のように、本実施例に係るミキサ回路によれば、ダブルバランストミキサの構成においても、既述の実施例と同様に変換利得を向上させ、雑音特性をさらに向上させつつ、低消費電流化を図ることができる。
【００８１】
なお、各実施例において、第１の電位を接地電位、第２の電位を電源電位とし、第１導電型をｎ型、第２導電型をｐ型とし回路の極性を逆にしても、同様の作用効果を奏することができる。
【００８２】
また、各実施例において、ミキサ回路に使用されるトランジスタにＭＯＳトランジスタを選択した場合について説明したが、バイポーラトランジスタを代わりに選択しても、同様の作用効果を奏することができる。この場合、第１導電型、第２導電型がＰＮＰ型、ＮＰＮ型に相当し、信号入力端子がベースに相当する。
【００８３】
また、実施例３における、容量結合の影響を低減するためにバイアス電圧が印加されたＭＯＳトランジスタを、無線周波数信号が入力されるＭＯＳトランジスタと局部発振信号が入力されるＭＯＳトランジスタとの間に挿入する構成は、実施例２についても同様に適用することができる。
【図面の簡単な説明】
【００８４】
【図１】本発明の一態様である実施例１に係るミキサ回路の要部構成を示す回路図である。
【図２】本発明の一態様である実施例２に係るミキサ回路の要部構成を示す回路図である。
【図３】本発明の一態様である実施例３に係るミキサ回路の要部構成を示す回路図である。
【図４】本発明の一態様である実施例４に係るミキサ回路の要部構成を示す回路図である。
【図５】本発明の一態様である実施例５に係るミキサ回路の要部構成を示す回路図である。
【図６】本発明の一態様である実施例６に係るミキサ回路の要部構成を示す回路図である。
【符号の説明】
【００８５】
１  第１のＭＯＳトランジスタ
２  第２のＭＯＳトランジスタ
３  第３のＭＯＳトランジスタ
４  第４のＭＯＳトランジスタ
５  第５のＭＯＳトランジスタ
６  第６のＭＯＳトランジスタ
７  第７のＭＯＳトランジスタ
８  第８のＭＯＳトランジスタ
９  第９のＭＯＳトランジスタ
１０  第１０のＭＯＳトランジスタ
１１  第１１のＭＯＳトランジスタ
１２  第１２のＭＯＳトランジスタ
１５  定電流源
１００、２００、３００、４００、５００、６００  ミキサ回路
１０１  第１の接続点
１０２  第１の出力端子
２０１  第２の接続点
２０２  第２の出力端子
３０１  第３の接続点
【図１】
2007288250.tif 000003
【図２】
2007288250.tif 000004
【図３】
2007288250.tif 000005
【図４】
2007288250.tif 000006
【図５】
2007288250.tif 000007
【図６】
2007288250.tif 000008